(57)【要約】【課題】電子機器が動作している際に、ユーザが一時的に電子フォトフレームを見た場合に、ユーザが電子フォトフレームを見たことに応じて電子機器を適切に動作させることが可能な電子フォトフレームを提供する。【解決手段】このデジタルフォトフレーム（電子フォトフレーム）１は、ＤＶＤプレーヤ３に対して所定の動作を行わせる制御信号を送信可能な状態で接続される通信部１６と、ユーザの顔を撮像することが可能な撮像部１４と、撮像部１４により撮像されたユーザの顔の画像に基づいてユーザがデジタルフォトフレーム１を見ていると判断した場合に、通信部１６を介してＤＶＤプレーヤ３に対して制御信号を送信するように制御する制御部１９とを備える。【選択図】図４
2011254279.tif 000002
【特許請求の範囲】
【請求項１】
電子機器に対して所定の動作を行わせる制御信号を送信可能な状態で接続される通信部と、
ユーザの顔を撮像することが可能な撮像部と、
前記撮像部により撮像されたユーザの顔の画像に基づいてユーザが電子フォトフレームを見ていると判断した場合に、前記通信部を介して前記電子機器に対して制御信号を送信するように制御する制御部とを備える、電子フォトフレーム。
【請求項２】
前記制御部は、前記撮像部により撮像されたユーザの顔の画像に基づいてユーザが前記電子フォトフレームを見ていると判断した場合に、前記通信部を介して前記電子機器に対してユーザが前記電子機器を見ていないことを前提とする前記所定の動作を行わせる前記制御信号を送信するように構成されている、請求項１に記載の電子フォトフレーム。
【請求項３】
前記電子機器は、映像再生装置を含み、
前記制御部は、前記映像再生装置によって映像が再生されている状態において、前記撮像部により撮像されたユーザの顔の画像に基づいてユーザが前記電子フォトフレームを見ていると判断した場合に、前記通信部を介して前記映像再生装置に対して再生中の映像を停止させるための前記制御信号を送信するように構成されている、請求項１または２に記載の電子フォトフレーム。
【請求項４】
前記制御部は、前記撮像部により撮像されたユーザの顔の画像に基づいてユーザが前記電子フォトフレームを見終わったと判断した場合に、前記通信部を介して前記映像再生装置に対してユーザが前記電子フォトフレームを見始めた時点からの映像を再生させるか否かをユーザに選択させる画面を表示させるための前記制御信号を送信するように構成されている、請求項３に記載の電子フォトフレーム。
【請求項５】
前記電子機器は、テレビジョン装置と、前記テレビジョン装置の表示部に表示されるテレビジョン放送を記録することが可能な映像記録装置とを含み、
前記制御部は、前記テレビジョン装置の表示部にテレビジョン放送が表示されている状態において、前記撮像部により撮像されたユーザの顔の画像に基づいてユーザが前記電子フォトフレームを見ていると判断した場合に、前記通信部を介して前記映像記録装置に対してユーザが視聴していたテレビジョン放送の映像を記録させるための前記制御信号を送信するように構成されている、請求項１または２に記載の電子フォトフレーム。
【請求項６】
前記制御部は、前記撮像部により撮像されたユーザの顔の画像に基づいてユーザが前記電子フォトフレームを見終わったと判断した場合に、前記通信部を介して前記映像記録装置に対してユーザが前記電子フォトフレームを見ていた間に記録されたテレビジョン放送の映像を再生させるか否かをユーザに選択させる画面を前記テレビジョン装置の表示部に表示させるための前記制御信号を送信するように構成されている、請求項５に記載の電子フォトフレーム。
【請求項７】
前記電子機器は、テレビジョン装置を含み、
前記制御部は、前記テレビジョン装置の表示部にテレビジョン放送が表示されている状態において、前記撮像部により撮像されたユーザの顔の画像に基づいてユーザが前記電子フォトフレームを見ていると判断した場合に、前記通信部を介して前記テレビジョン装置に対して音量を下げる前記制御信号を送信するように構成されている、請求項１または２に記載の電子フォトフレーム。
【請求項８】
前記制御部は、前記撮像部により撮像されたユーザの顔の画像に基づいてユーザが前記電子フォトフレームを所定の時間見ていると判断した場合に、前記通信部を介して前記電子機器に対して前記制御信号を送信するように構成されている、請求項１〜７のいずれか１項に記載の電子フォトフレーム。
【請求項９】
前記電子機器は、複数の電子機器を含み、
前記複数の電子機器の各々と前記制御信号の内容とが対応付けられた制御信号テーブルをさらに備え、
前記制御部は、前記撮像部により撮像されたユーザの顔の画像に基づいてユーザが前記電子フォトフレームを見ていると判断した場合に、前記制御信号テーブルに基づいて前記複数の電子機器の各々に応じた前記制御信号を送信するように構成されている、請求項１〜８のいずれか１項に記載の電子フォトフレーム。
【請求項１０】
前記通信部は、ネットワークを介して前記電子機器に対して前記制御信号を送信可能な状態で接続されており、
前記制御部は、前記撮像部により撮像されたユーザの顔の画像に基づいてユーザが前記電子フォトフレームを見ていると判断した場合に、前記ネットワークを介して前記電子機器に対して前記制御信号を送信するように構成されている、請求項１〜９のいずれか１項に記載の電子フォトフレーム。
【請求項１１】
電子機器と、
前記電子機器に対して所定の動作を行わせる制御信号を送信可能な状態で接続される通信部と、ユーザの顔を撮像することが可能な撮像部と、前記撮像部により撮像されたユーザの顔の画像に基づいてユーザが電子フォトフレームを見ていると判断した場合に前記通信部を介して前記電子機器に対して制御信号を送信するように制御する制御部とを含む電子フォトフレームとを備える、電子フォトフレームシステム。
【発明の詳細な説明】
【技術分野】
【０００１】
この発明は、電子フォトフレームおよび電子フォトフレームシステムに関し、特に、ユーザの顔を撮像することが可能な撮像部を備える電子フォトフレームおよび電子フォトフレームシステムに関する。
【背景技術】
【０００２】
従来、ユーザの顔を撮像することが可能な撮像部を備える電子フォトフレームおよび電子フォトフレームシステムが知られている（たとえば、特許文献１参照）。
【０００３】
上記特許文献１には、所定範囲内の近接を感知可能な近接センサと、人物（ユーザ）の顔を撮像するためのカメラ（撮像部）とを備えるデジタルフォトフレーム（電子フォトフレーム）が開示されている。このデジタルフォトフレームでは、人物がデジタルフォトフレームを見るためにデジタルフォトフレームに近づいた際に、近接センサにより人物が近接していることが感知されるとともに、カメラにより撮像された画像の顔認識処理が行われるように構成されている。そして、人物の顔が認識された場合には、撮像された画像がデジタルフォトフレームに表示されるように構成されている。
【先行技術文献】
【特許文献】
【０００４】
【特許文献１】特開２００９−２０４８１７号公報
【発明の概要】
【発明が解決しようとする課題】
【０００５】
しかしながら、上記特許文献１のデジタルフォトフレームでは、人物がデジタルフォトフレームを見るためにデジタルフォトフレームに近づいた際に、画像がデジタルフォトフレームに表示される一方、たとえば、デジタルフォトフレームの近傍にＤＶＤプレーヤ、ＤＶＤレコーダまたはテレビジョン装置などの電子機器が配置されるとともに動作している際に、人物が一時的にデジタルフォトフレームを見た場合には、人物がデジタルフォトフレームを見ている間の電子機器において再生（放送）されている映像などを見逃してしまうという不都合がある。つまり、電子機器が動作している際に、ユーザが一時的にデジタルフォトフレームを見た場合に、電子機器を適切に動作させることが困難であるという問題点がある。
【０００６】
この発明は、上記のような課題を解決するためになされたものであり、この発明の１つの目的は、電子機器が動作している際に、ユーザが一時的に電子フォトフレームを見た場合に、ユーザが電子フォトフレームを見たことに応じて電子機器を適切に動作させることが可能な電子フォトフレームおよび電子フォトフレームシステムを提供することである。
【課題を解決するための手段および発明の効果】
【０００７】
この発明の第１の局面による電子フォトフレームは、電子機器に対して所定の動作を行わせる制御信号を送信可能な状態で接続される通信部と、ユーザの顔を撮像することが可能な撮像部と、撮像部により撮像されたユーザの顔の画像に基づいてユーザが電子フォトフレームを見ていると判断した場合に、通信部を介して電子機器に対して制御信号を送信するように制御する制御部とを備える。
【０００８】
この第１の局面による電子フォトフレームでは、上記のように、電子機器に対して所定の動作を行わせる制御信号を送信可能な状態で接続される通信部と、撮像部により撮像されたユーザの顔の画像に基づいてユーザが電子フォトフレームを見ていると判断した場合に、通信部を介して電子機器に対して制御信号を送信するように制御する制御部とを備えることによって、たとえば、映像を再生する機能を有する電子機器に対して映像を停止させる動作を行わせる制御信号が送信される場合には、ユーザが電子フォトフレームを見ている間の映像を停止することができる。これにより、電子機器が動作している際に、ユーザが一時的に電子フォトフレームを見た場合に、ユーザが電子フォトフレームを見たことに応じて映像を再生する機能を有する電子機器を適切に動作させることができるので、ユーザが電子フォトフレームを見ている間の映像を見逃さないようにすることができる。また、たとえば、ユーザが電子フォトフレームを見ている際に、放送番組を記録する機能を有する電子機器に対して放送番組を記録させる動作を行わせる制御信号が送信される場合には、ユーザが電子フォトフレームを見ている間の放送番組を記録することができる。これにより、電子機器が動作している際に、ユーザが一時的に電子フォトフレームを見た場合に、ユーザが電子フォトフレームを見たことに応じて放送番組を記録する機能を有する電子機器を適切に動作させることができるので、ユーザが電子フォトフレームを見ている間の放送番組を見逃さないようにすることができる。また、たとえば、映像および音声を出力する機能を有する電子機器に対して電子機器から出力される音量を下げる動作を行わせる制御信号が送信される場合には、ユーザが電子フォトフレームを見ている間の音量を下げることができる。これにより、電子機器が動作している際に、ユーザが一時的に電子フォトフレームを見た場合に、映像および音声を出力する機能を有する電子機器を適切に動作させることができる。
【０００９】
上記第１の局面による電子フォトフレームにおいて、好ましくは、制御部は、撮像部により撮像されたユーザの顔の画像に基づいてユーザが電子フォトフレームを見ていると判断した場合に、通信部を介して電子機器に対してユーザが電子機器を見ていないことを前提とする所定の動作を行わせる制御信号を送信するように構成されている。このように構成すれば、ユーザが電子機器を見ていない場合に、容易に、ユーザが電子機器を見ていないことを前提とする所定の動作を電子機器に行わせることができる。
【００１０】
上記第１の局面による電子フォトフレームにおいて、好ましくは、電子機器は、映像再生装置を含み、制御部は、映像再生装置によって映像が再生されている状態において、撮像部により撮像されたユーザの顔の画像に基づいてユーザが電子フォトフレームを見ていると判断した場合に、通信部を介して映像再生装置に対して再生中の映像を停止させるための制御信号を送信するように構成されている。このように構成すれば、ユーザが電子フォトフレームを見ている間映像が停止されるので、電子フォトフレームを見ている間の映像を見逃してしまうのを抑制することができる。
【００１１】
この場合、好ましくは、制御部は、撮像部により撮像されたユーザの顔の画像に基づいてユーザが電子フォトフレームを見終わったと判断した場合に、通信部を介して映像再生装置に対してユーザが電子フォトフレームを見始めた時点からの映像を再生させるか否かをユーザに選択させる画面を表示させるための制御信号を送信するように構成されている。このように構成すれば、ユーザが画面において再生を行うことを選択した場合には、ユーザが電子フォトフレームを見終わった際に、ユーザが電子フォトフレームを見始めた時点からの映像を見ることができるとともに、ユーザが画面において再生を行わないことを選択した場合には、映像の再生を省略することができる。
【００１２】
上記第１の局面による電子フォトフレームにおいて、好ましくは、電子機器は、テレビジョン装置と、テレビジョン装置の表示部に表示されるテレビジョン放送を記録することが可能な映像記録装置とを含み、制御部は、テレビジョン装置の表示部にテレビジョン放送が表示されている状態において、撮像部により撮像されたユーザの顔の画像に基づいてユーザが電子フォトフレームを見ていると判断した場合に、通信部を介して映像記録装置に対してユーザが視聴していたテレビジョン放送の映像を記録させるための制御信号を送信するように構成されている。このように構成すれば、ユーザが電子フォトフレームを見ている場合には、ユーザが視聴していたテレビジョン放送の映像が記録されるので、ユーザが電子フォトフレームを見ている間の映像を見逃してしまうのを抑制することができる。
【００１３】
この場合、好ましくは、制御部は、撮像部により撮像されたユーザの顔の画像に基づいてユーザが電子フォトフレームを見終わったと判断した場合に、通信部を介して映像記録装置に対してユーザが電子フォトフレームを見ていた間に記録されたテレビジョン放送の映像を再生させるか否かをユーザに選択させる画面をテレビジョン装置の表示部に表示させるための制御信号を送信するように構成されている。このように構成すれば、ユーザが画面において再生を行うことを選択した場合には、ユーザが電子フォトフレームを見終わった際に、ユーザが電子フォトフレームを見ていた間の映像を再生することができるとともに、ユーザが画面において再生を行わないことを選択した場合には、映像の再生を省略することができる。
【００１４】
上記第１の局面による電子フォトフレームにおいて、好ましくは、電子機器は、テレビジョン装置を含み、制御部は、テレビジョン装置の表示部にテレビジョン放送が表示されている状態において、撮像部により撮像されたユーザの顔の画像に基づいてユーザが電子フォトフレームを見ていると判断した場合に、通信部を介してテレビジョン装置に対して音量を下げる制御信号を送信するように構成されている。このように構成すれば、テレビジョン装置から出力される音量が維持される場合と異なり、ユーザが集中して電子フォトフレームを閲覧することができる。
【００１５】
上記第１の局面による電子フォトフレームにおいて、好ましくは、制御部は、撮像部により撮像されたユーザの顔の画像に基づいてユーザが電子フォトフレームを所定の時間見ていると判断した場合に、通信部を介して電子機器に対して制御信号を送信するように構成されている。このように構成すれば、ユーザが電子フォトフレームを見た瞬間に制御信号が送信される場合と異なり、ユーザが電子フォトフレームを確実に見ている状態において制御信号を送信することができる。
【００１６】
上記第１の局面による電子フォトフレームにおいて、好ましくは、電子機器は、複数の電子機器を含み、複数の電子機器の各々と制御信号の内容とが対応付けられた制御信号テーブルをさらに備え、制御部は、撮像部により撮像されたユーザの顔の画像に基づいてユーザが電子フォトフレームを見ていると判断した場合に、制御信号テーブルに基づいて複数の電子機器の各々に応じた制御信号を送信するように構成されている。このように構成すれば、制御信号テーブルの内容に従って容易に複数の電子機器の各々に応じた制御を行わせることができる。
【００１７】
上記第１の局面による電子フォトフレームにおいて、好ましくは、通信部は、ネットワークを介して電子機器に対して制御信号を送信可能な状態で接続されており、制御部は、撮像部により撮像されたユーザの顔の画像に基づいてユーザが電子フォトフレームを見ていると判断した場合に、ネットワークを介して電子機器に対して制御信号を送信するように構成されている。このように構成すれば、たとえば、ユーザが電子フォトフレームを見ている際に、ネットワークに接続されている電子機器に対してネットワークを介して容易に制御信号を送信することができる。
【００１８】
この発明の第２の局面による電子フォトフレームシステムは、電子機器と、電子機器に対して所定の動作を行わせる制御信号を送信可能な状態で接続される通信部とユーザの顔を撮像することが可能な撮像部と撮像部により撮像されたユーザの顔の画像に基づいてユーザが電子フォトフレームを見ていると判断した場合に通信部を介して電子機器に対して制御信号を送信するように制御する制御部とを含む電子フォトフレームとを備える。
【００１９】
この第２の局面による電子フォトフレームシステムでは、上記のように、電子機器と、電子機器に対して所定の動作を行わせる制御信号を送信可能な状態で接続される通信部と撮像部により撮像されたユーザの顔の画像に基づいてユーザが電子フォトフレームを見ていると判断した場合に通信部を介して電子機器に対して制御信号を送信するように制御する制御部とを含む電子フォトフレームとを備えることによって、たとえば、映像を再生する機能を有する電子機器に対して映像を停止させる動作を行わせる制御信号が送信される場合には、ユーザが電子フォトフレームを見ている間の映像を停止することができる。これにより、電子機器が動作している際に、ユーザが一時的に電子フォトフレームを見た場合に、ユーザが電子フォトフレームを見たことに応じて映像を再生する機能を有する電子機器を適切に動作させることができるので、ユーザが電子フォトフレームを見ている間の映像を見逃さないようにすることができる。また、たとえば、ユーザが電子フォトフレームを見ている際に、放送番組を記録する機能を有する電子機器に対して放送番組を記録させる動作を行わせる制御信号が送信される場合には、ユーザが電子フォトフレームを見ている間の放送番組を記録することができる。これにより、電子機器が動作している際に、ユーザが一時的に電子フォトフレームを見た場合に、ユーザが電子フォトフレームを見たことに応じて放送番組を記録する機能を有する電子機器を適切に動作させることができるので、ユーザが電子フォトフレームを見ている間の放送番組を見逃さないようにすることができる。また、たとえば、映像および音声を出力する機能を有する電子機器に対して電子機器から出力される音量を下げる動作を行わせる制御信号が送信される場合には、ユーザが電子フォトフレームを見ている間の音量を下げることができる。これにより、電子機器が動作している際に、ユーザが一時的に電子フォトフレームを見た場合に、映像および音声を出力する機能を有する電子機器を適切に動作させることができる。
【図面の簡単な説明】
【００２０】
【図１】本発明の第１実施形態によるデジタルフォトフレーム（ＤＰＦ）が接続されるネットワーク全体の構成を示した概略図である。
【図２】本発明の第１実施形態によるデジタルフォトフレーム、ＤＶＤプレーヤおよびデジタルテレビジョン装置（ＴＶ）の構成を示したブロック図である。
【図３】本発明の第１〜第３実施形態による制御信号テーブルを示した図である。
【図４】本発明の第１実施形態によるデジタルフォトフレームの制御部およびＤＶＤプレーヤの制御部の制御処理フローを示したフローチャートである。
【図５】本発明の第１実施形態によるデジタルテレビジョン装置の制御部の制御処理フローを示したフローチャートである。
【図６】本発明の第１実施形態によるデジタルテレビジョン装置の表示部に表示される選択画面を示す図である。
【図７】本発明の第２実施形態によるデジタルフォトフレーム、ＤＶＤレコーダおよびデジタルテレビジョン装置の構成を示したブロック図である。
【図８】本発明の第２実施形態によるデジタルフォトフレームの制御部およびＤＶＤレコーダの制御部の制御処理フローを示したフローチャートである。
【図９】本発明の第２実施形態によるデジタルテレビジョン装置の制御部の制御処理フローを示したフローチャートである。
【図１０】本発明の第３実施形態によるデジタルフォトフレームおよびデジタルテレビジョン装置の構成を示したブロック図である。
【図１１】本発明の第３実施形態によるデジタルフォトフレームの制御部およびデジタルテレビジョン装置の制御部の制御処理フローを示したフローチャートである。
【発明を実施するための形態】
【００２１】
以下、本発明を具体化した実施形態を図面に基づいて説明する。
【００２２】
（第１実施形態）
図１〜図３を参照して、本発明の第１実施形態によるデジタルフォトフレームシステム１００の構成について説明する。なお、デジタルフォトフレームシステム１００は、本発明の「電子フォトフレームシステム」の一例である。
【００２３】
図１に示すように、本発明の第１実施形態によるデジタルフォトフレームシステム１００は、様々な電子機器と有線ＬＡＮ、無線ＬＡＮまたはそれらの組み合わせからなるホームネットワークで相互接続されている。これらの機器はＤＬＮＡ（Ｄｉｇｉｔａｌ  Ｌｉｖｉｎｇ  Ｎｅｔｗｏｒｋ  Ａｌｌｉａｎｃｅ）に対応している。なお、ＤＬＮＡは、ネットワーク接続された対応機器間でメディアデータを共有することが可能なネットワーク規格であり、これらの対応機器同士でＤＬＮＡ規格に準拠した通信を相互に行うことが可能である。
【００２４】
第１実施形態によるデジタルフォトフレームシステム１００では、ホームネットワークを構成するＤＬＮＡ対応機器として、デジタルフォトフレーム（ＤＰＦ）１と、デジタルテレビジョン装置（ＴＶ）２と、ＤＶＤプレーヤ３とが相互接続されている。第１実施形態では、ユーザがデジタルフォトフレーム１を見ていると判断された場合に、デジタルフォトフレーム１からＤＶＤプレーヤ３に対して所定の動作を行わせる制御信号が送信されるように構成されている。なお、デジタルフォトフレームシステム１００は、本発明の「電子フォトフレームシステム」の一例であり、デジタルフォトフレーム１は、本発明の「電子フォトフレーム」の一例である。また、デジタルテレビジョン装置２は、本発明の「テレビジョン装置」の一例であり、ＤＶＤプレーヤ３は、本発明の「映像再生装置」の一例である。
【００２５】
デジタルフォトフレーム１は、正面から見て矩形形状を有する本体部１０を備えている。本体部１０の正面側の表面には、矩形形状の表示部１１が設けられている。また、本体部１０の正面側の表面には、表示部１１に隣接して操作部１２が配置されている。また、本体部１０の側面には、メディアカード接続部１３が設けられている。また、表示部１１の上部には、小型のカメラなどからなる撮像部１４が設けられており、撮像部１４によりユーザの顔を撮像することが可能である。
【００２６】
また、図２に示すように、本体部１０の内部には、記憶部１５、通信部１６、電源システム部１７、ＲＴＣ（Ｒｅａｌ  Ｔｉｍｅ  Ｃｌｏｃｋ）１８、および、制御部１９が設けられている。
【００２７】
表示部１１は、液晶ディスプレイからなり、メディアカード接続部１３に接続されたメディアカード（図示せず）に記憶されるデジタル画像を表示可能に構成されている。また、表示部１１は、画像の表示態様の変更や色調の調整などを行うための設定画面を表示することが可能である。
【００２８】
操作部１２は、表示部１１に表示される設定画面において、各種項目を選択および決定するために設けられている。また、ユーザは、操作部１２を用いて、デジタル画像の削除やコピーを指示することも可能である。
【００２９】
メディアカード接続部１３は、ＳＤメモリカード（Ｓｅｃｕｒｅ  Ｄｉｇｉｔａｌ  Ｍｅｍｏｒｙ  Ｃａｒｄ）（登録商標）、ｘＤピクチャカード（登録商標）、ＣＦカード（Ｃｏｍｐａｃｔ  Ｆｌａｓｈ  Ｃａｒｄ）（登録商標）などの各種メディアカードに対応可能に構成されている。
【００３０】
記憶部１５には、図３に示すように、複数の電子機器（ＤＶＤプレーヤ３、後述するＤＶＤレコーダ４およびデジタルテレビジョン装置２）と制御信号の内容とが対応付けられた制御信号テーブル１５ａが記憶されている。制御信号テーブル１５ａには、ユーザがデジタルフォトフレーム１を見始めてから電子機器へ制御信号が送信されるまでの設定時間（初期値は約２０秒）や、ユーザがデジタルフォトフレーム１を見ている際に電子機器（ＤＶＤプレーヤ３、ＤＶＤレコーダ４およびデジタルテレビジョン装置２）の各々に所定の動作を行わせる内容が含まれている。
【００３１】
通信部１６は、デジタルテレビジョン装置２およびＤＶＤプレーヤ３との間で制御信号を送信可能な状態で無線通信を行うために設けられている。
【００３２】
電源システム部１７は、本体部１０の各部に電力を供給する機能を有している。また、ＲＴＣ１８は、時計として機能するように構成されている。
【００３３】
制御部１９は、デジタルフォトフレーム１全体の制御を司っている。ここで、第１実施形態では、撮像部１４により撮像されたユーザの顔の画像に基づいてユーザがデジタルフォトフレーム１を見ている（ユーザがＤＶＤプレーヤ３を見ていない）と判断した場合に、制御部１９は、通信部１６を介してＤＶＤプレーヤ３に対して制御信号テーブル１５ａ（図３参照）に基づいて所定の動作を行わせる制御信号を送信するように構成されている。具体的には、ＤＶＤプレーヤ３によって映像が再生されている状態において、撮像部１４により撮像されたユーザの顔の画像に基づいてユーザがデジタルフォトフレーム１を見ていると判断した場合に、制御部１９は、通信部１６を介してＤＶＤプレーヤ３に対して再生中の映像を停止させるための制御信号を送信するように構成されている。また、ユーザがデジタルフォトフレーム１を見終えた場合には、制御部１９は、通信部１６を介してＤＶＤプレーヤ３に対してユーザがデジタルフォトフレーム１を見始めた時点に戻って再生するか否かをユーザに選択させる制御信号を送信するように構成されている。
【００３４】
また、図１に示すように、デジタルテレビジョン装置２は、矩形形状の表示部２１を備えている。また、図２に示すように、デジタルテレビジョン装置２の内部には、制御部２２、通信部２３、受信部２４および音量調節部２５が設けられている。
【００３５】
表示部２１は、制御部２２の制御により、デジタルテレビジョン放送の番組などの映像が表示されるように構成されている。また、制御部２２は、デジタルテレビジョン装置２全体の制御を司っている。通信部２３は、デジタルフォトフレーム１の通信部１６および後述するＤＶＤプレーヤ３の通信部３２と制御信号を送信可能な状態で無線通信を行うために設けられている。
【００３６】
受信部２４は、アンテナを介して放送局から配信されるデジタルテレビジョン放送信号およびＥＰＧ（Ｅｌｅｃｔｒｏｎｉｃ  Ｐｒｏｇｒａｍ  Ｇｕｉｄｅ）情報を受信するために設けられている。音量調節部２５は、ユーザがリモコン（図示せず）などを操作することにより、デジタルテレビジョン装置２から出力される音量を上げるかまたは下げる操作が可能に構成されている。
【００３７】
また、ＤＶＤプレーヤ３の内部には、制御部３１、通信部３２、読取部３３および再生部３４が設けられている。
【００３８】
制御部３１は、ＤＶＤプレーヤ３全体の制御を司っている。通信部３２は、デジタルフォトフレーム１の通信部１６およびデジタルテレビジョン装置２の通信部２３と制御信号を送信可能な状態で無線通信を行うために設けられている。読取部３３は、ＤＶＤなどのメディアのデータを読み取る機能を有している。再生部３４は、読取部３３により読み取られたメディアのデータを映像として再生する機能を有している。
【００３９】
次に、図３〜図６を参照して、本発明の第１実施形態によるデジタルフォトフレームシステム１００の制御処理フローについて説明する。
【００４０】
まず、ＤＶＤプレーヤ３によって映像が再生されている状態において、図４に示すように、デジタルフォトフレーム１では、ステップＳ１１において、撮像部１４により撮像されたユーザの顔の画像に基づいてユーザがデジタルフォトフレーム１を見ているか否かが判断される（ユーザの顔および視線の認識を行う）。これと同時に、ユーザがデジタルフォトフレーム１を見始めた時点の再生中の映像（シーン）が制御部１９により記憶部１５に記憶される。
【００４１】
次に、ステップＳ１２において、ユーザがデジタルフォトフレーム１を約２０秒以上見続けているか否か（約２０秒経過したか否か）が判断される。ステップＳ１２において、ユーザがデジタルフォトフレーム１を約２０秒以上見続けていないと判断された場合には、ステップＳ１１に戻る。
【００４２】
また、ステップＳ１２において、ユーザがデジタルフォトフレーム１を約２０秒以上見続けていると判断された場合には、ステップＳ１３に進む。ここで、第１実施形態では、ステップＳ１３において、制御信号テーブル１５ａ（図３参照）の制御内容（「ユーザがＤＰＦを見ている際の処理  初期設定  再生中の映像を一時停止する」という内容）に従って、ＤＶＤプレーヤ３に対して再生中の映像を一時停止させる制御信号と、記憶部１４に記憶されているユーザがデジタルフォトフレーム１を見始めた時点の再生中の映像（シーン）に対応する信号とが送信される。また、第１実施形態では、ステップＳ１３において、制御信号テーブル１５ａの制御内容（「ユーザがＤＰＦを見ている際の処理  音量調整  初期設定  そのまま」という内容）に従って、ＤＶＤプレーヤ３に対して音量調整がそのまま（変更なし）の状態に維持されるように制御信号が送信される。
【００４３】
そして、ＤＶＤプレーヤ３では、ステップＳ２１において、デジタルフォトフレーム（ＤＰＦ）１から再生中の映像を一時停止する制御信号を受信したか否かが制御部３１により判断される。そして、ステップＳ２１において、制御信号が受信されていないと判断された場合には、この判断が繰り返される。また、ステップＳ２１において、制御信号が受信されたと判断された場合には、ステップＳ２２に進み、再生中の映像が一時停止されるとともに、音量調整がそのまま（変更なし）の状態に維持される。そして、ステップＳ２３に進む。
【００４４】
また、デジタルフォトフレーム１では、ステップＳ１４において、ユーザの顔および視線の認識が行われる。そして、ステップＳ１５において、ユーザの顔および視線が認識されるか否か（ユーザがデジタルフォトフレーム１を見続けているか否か）が判断される。ステップＳ１５において、ユーザの顔および視線が認識された（ユーザがデジタルフォトフレーム１を見続けている）と判断された場合には、この判断が繰り返される。また、ステップＳ１５において、ユーザの顔および視線が認識されない（ユーザがデジタルフォトフレーム１を見終えた）と判断された場合には、ステップＳ１６に進み、ＤＶＤプレーヤ３に対してデジタルテレビジョン装置（ＴＶ）２の表示部２１に「戻って再生しますか？  Ｙｅｓ  Ｎｏ」という選択画面２１ａ（図６参照）を表示させるための処理表示信号が送信される。
【００４５】
また、ＤＶＤプレーヤ３では、ステップＳ２３において、デジタルフォトフレーム（ＤＰＦ）１から処理表示信号が受信されたか否かが制御部２２により判断される。そして、ステップＳ２３において、処理表示信号が受信されていないと判断された場合には、この判断が繰り返され、処理表示信号が受信されたと判断された場合には、ステップＳ２４に進む。そして、ステップＳ２４において、デジタルテレビジョン装置（ＴＶ）２に対して選択画面２１ａを表示させるための処理表示信号が送信される。
【００４６】
また、デジタルテレビジョン装置（ＴＶ）２では、図５に示すように、ステップＳ３１において、ＤＶＤプレーヤ３から選択画面２１ａを表示させるための処理表示信号が受信されたか否かが制御部２２により判断される。そして、ステップＳ３１において、処理表示信号が受信されていないと判断された場合には、この判断が繰り返される。そして、ステップＳ３１において、処理表示信号が受信されたと判断された場合には、ステップＳ３２に進み、デジタルテレビジョン装置（ＴＶ）２の表示部２１に「戻って再生しますか？  Ｙｅｓ  Ｎｏ」という選択画面２１ａ（図６参照）が表示される。
【００４７】
また、ＤＶＤプレーヤ３では、図４に示すように、ステップＳ２５において、ユーザがリモコン（図示せず）などを操作することにより表示部２１に表示された選択画面２１ａの「Ｙｅｓ」が選択されたか否かが制御部３１により判断される。そして、ステップＳ２５において、「Ｙｅｓ」が選択されたと判断された場合には、ステップＳ２６において、ユーザがデジタルフォトフレーム１を見始めた時点の再生中の映像（シーン）に戻って再生が開始される。つまり、映像が一時停止された時点の約２０秒前から再生が開始される。また、ステップＳ２５において、「Ｙｅｓ」が選択されていない（「Ｎｏ」が選択された）と判断された場合には、ステップＳ２７において、一時停止状態を解除して映像が再生される。
【００４８】
第１実施形態では、上記のように、撮像部１４により撮像されたユーザの顔の画像に基づいてユーザがデジタルフォトフレーム１を見ていると判断した場合に、通信部１６を介してＤＶＤプレーヤ３に対して制御信号を送信するように制御する制御部１９を設けることによって、ユーザがデジタルフォトフレーム１を見ている際に、ＤＶＤプレーヤ３に対して映像を停止させる動作を行わせる制御信号が送信される場合には、ユーザがデジタルフォトフレーム１を見ている間の映像を停止することができる。これにより、デジタルテレビジョン装置２およびＤＶＤプレーヤ３が動作している際に、ユーザが一時的にデジタルフォトフレーム１を見た場合に、ユーザがデジタルフォトフレーム１を見たことに応じてＤＶＤプレーヤ３を適切に動作させることができるので、ユーザがデジタルフォトフレーム１を見ている間の放送番組を見逃さないようにすることができる。
【００４９】
また、第１実施形態では、上記のように、制御部１９が撮像部１４により撮像されたユーザの顔の画像に基づいてユーザがデジタルフォトフレーム１を見ていると判断した場合に、通信部１６を介してＤＶＤプレーヤ３に対してユーザがＤＶＤプレーヤ３を見ていないことを前提とする所定の動作（映像を停止する動作）を行わせる制御信号を送信することによって、ユーザがＤＶＤプレーヤ３を見ていない場合に、容易に、ユーザがＤＶＤプレーヤ３を見ていないことを前提とする所定の動作（映像を停止する動作）をＤＶＤプレーヤ３に行わせることができる。
【００５０】
また、第１実施形態では、上記のように、制御部１９がＤＶＤプレーヤ３によって映像が再生されている状態において、撮像部１４により撮像されたユーザの顔の画像に基づいてユーザがデジタルフォトフレーム１を見ていると判断した場合に、通信部１６を介してＤＶＤプレーヤ３に対して再生中の映像を停止させるための制御信号を送信することによって、ユーザがデジタルフォトフレーム１を見ている間映像が停止されるので、デジタルフォトフレーム１を見ている間の映像を見逃してしまうのを抑制することができる。
【００５１】
また、第１実施形態では、上記のように、制御部１９が撮像部１４により撮像されたユーザの顔の画像に基づいてユーザがデジタルフォトフレーム１を見終わったと判断した場合に、通信部１６を介してＤＶＤプレーヤ３に対してユーザがデジタルフォトフレーム１を見始めた時点からの映像を再生させるか否かをユーザに選択させる選択画面２１ａを表示させるための制御信号を送信することによって、ユーザが選択画面２１ａにおいて再生を行うことを選択した場合には、ユーザがデジタルフォトフレーム１を見終わった際に、ユーザがデジタルフォトフレーム１を見始めた時点からの映像を見ることができるとともに、ユーザが選択画面２１ａにおいて再生を行わないことを選択した場合には、映像の再生を省略することができる。
【００５２】
また、第１実施形態では、上記のように、制御部１９が撮像部１４により撮像されたユーザの顔の画像に基づいてユーザがデジタルフォトフレーム１を約２０秒間見ていると判断した場合に、通信部１６を介してＤＶＤプレーヤ３に対して制御信号を送信することによって、ユーザがデジタルフォトフレーム１を見た瞬間に制御信号が送信される場合と異なり、ユーザがデジタルフォトフレーム１を確実に見ている状態において制御信号を送信することができる。
【００５３】
また、第１実施形態では、上記のように、制御部１９が撮像部１４により撮像されたユーザの顔の画像に基づいてユーザがデジタルフォトフレーム１を見ていると判断した場合に、制御信号テーブル１５ａに基づいてＤＶＤプレーヤ３に応じた制御信号を送信することによって、制御信号テーブル１５ａの内容に従って容易にＤＶＤプレーヤ３に応じた制御を行わせることができる。
【００５４】
また、第1実施形態では、上記のように、制御部１９が撮像部１４により撮像されたユーザの顔の画像に基づいてユーザがデジタルフォトフレーム１を見ていると判断した場合に、ネットワークを介してＤＶＤプレーヤ３に対して制御信号を送信することによって、ユーザがデジタルフォトフレーム１を見ている際に、ネットワークに接続されているＤＶＤプレーヤ３に対してネットワークを介して容易に制御信号を送信することができる。
【００５５】
（第２実施形態）
次に、図７を参照して、第２実施形態について説明する。この第２実施形態では、ユーザがデジタルフォトフレームを見ていると判断した場合に、ＤＶＤプレーヤに対して再生中の映像を停止させる例について説明した上記第１実施形態とは異なり、ユーザがデジタルフォトフレームを見ていると判断した場合に、ＤＶＤレコーダに対してユーザが視聴していたテレビジョン放送の映像を記録させる例について説明する。
【００５６】
本発明の第２実施形態によるデジタルフォトフレームシステム１０１では、図７に示すように、デジタルフォトフレーム１と、デジタルテレビジョン装置２と、ＤＶＤレコーダ４とが相互に接続されている。なお、デジタルフォトフレームシステム１０１は、本発明の「電子フォトフレームシステム」の一例であり、ＤＶＤレコーダ４は、本発明の「映像記録装置」の一例である。
【００５７】
ＤＶＤレコーダ４の内部には、制御部４１、通信部４２、録画部４３、記憶部４４および再生部４５が設けられている。
【００５８】
制御部４１は、ＤＶＤレコーダ４全体の制御を司っている。また、通信部４２は、デジタルフォトフレーム１の通信部１６およびデジタルテレビジョン装置２の通信部２３と制御信号を送信可能な状態で無線通信を行うために設けられている。また、録画部４３は、デジタルテレビジョン装置２の表示部２１に表示されるテレビジョン放送をＥＰＧ情報に基づいて録画可能に構成されている。
【００５９】
また、記憶部４４は、ＨＤＤ（Ｈａｒｄ  Ｄｉｓｋ  Ｄｒｉｖｅ）などの記憶装置からなり、録画部４３により録画されたテレビジョン放送の映像データを保存（記憶）可能に構成されている。また、再生部４５は、記憶部４４に記憶された映像データをユーザの操作などにより再生可能に構成されている。なお、第２実施形態のその他の構成は、上記第１実施形態と同様である。
【００６０】
次に、図３、図６、図８および図９を参照して、本発明の第２実施形態によるデジタルフォトフレームシステム１０１の制御処理フローについて説明する。
【００６１】
まず、デジタルテレビジョン装置２の表示部２１にテレビジョン放送が表示されている状態において、図８に示すように、デジタルフォトフレーム１では、ステップＳ１１において、撮像部１４により撮像されたユーザの顔の画像に基づいてユーザがデジタルフォトフレーム１を見ているか否かが制御部１９により判断される（ユーザの顔および視線の認識が行われる）。
【００６２】
次に、ステップＳ１２において、ユーザがデジタルフォトフレーム１を約２０秒以上見続けているか否か（約２０秒経過したか否か）が判断される。ステップＳ１２において、ユーザがデジタルフォトフレーム１を約２０秒以上見続けていないと判断された場合には、ステップＳ１１に戻る。
【００６３】
また、ステップＳ１２において、ユーザがデジタルフォトフレーム１を約２０秒以上見続けていると判断された場合には、ステップＳ１３１に進む。そして、第２実施形態では、ステップＳ１３１において、制御信号テーブル１５ａ（図３参照）の制御内容（「録画保存場所  初期設定  記憶部に保存（録画）する」という内容）に従って、ＤＶＤレコーダ４に対してユーザが視聴していたテレビジョン放送の映像を記録させるための制御信号が送信される。また、第２実施形態では、ステップＳ１３１において、制御信号テーブル１５ａの制御内容（「録画残量  初期設定  記憶部の記憶可能容量が残り１０％で録画を停止する」という内容）に従って、ＤＶＤレコーダ４に対して記憶可能容量が残り１０％になるまでテレビジョン放送の映像を記録させるための制御信号が送信される。
【００６４】
次に、ＤＶＤレコーダ４では、ステップＳ２１１において、デジタルフォトフレーム（ＤＰＦ）１からテレビジョン放送の映像を記録させるための制御信号を受信したか否かが制御部４１により判断される。そして、ステップＳ２１１において、制御信号が受信されていないと判断された場合には、この判断が繰り返される。また、ステップＳ２１１において、制御信号が受信されたと判断された場合には、ステップＳ２２１に進み、ＥＰＧ情報に基づいてテレビジョン放送の映像の記録が開始される。そして、ステップＳ２３に進む。
【００６５】
また、デジタルフォトフレーム１では、ステップＳ１４において、ユーザの顔および視線の認識が行われる。そして、ステップＳ１５において、ユーザの顔および視線が認識されるか否か（ユーザがデジタルフォトフレーム１を見続けているか否か）が判断される。ステップＳ１５において、ユーザの顔および視線が認識される（ユーザがデジタルフォトフレーム１を見続けている）と判断された場合には、この判断が繰り返される。
【００６６】
また、ステップＳ１５において、ユーザの顔および視線が認識されない（ユーザがデジタルフォトフレーム１を見終えた）と判断された場合には、ステップＳ１７に進み、ユーザが約２０秒以上デジタルフォトフレーム１を見続けていたか否かが判断される。そして、ステップＳ１７において、ユーザが約２０秒以上デジタルフォトフレーム１を見続けていたと判断された場合には、ステップＳ１８に進み、ＤＶＤレコーダ４に対してデジタルテレビジョン装置（ＴＶ）２の表示部２１に「戻って再生しますか？  Ｙｅｓ  Ｎｏ」という選択画面２１ａ（図６参照）を表示させるための処理表示信号が送信される。また、ステップＳ１７において、ユーザが約２０秒以上デジタルフォトフレーム１を見続けていないと判断された場合には、ステップＳ１９に進み、ＤＶＤレコーダ４に対して記録（録画）された内容を消去させるための制御信号が送信される。
【００６７】
また、ＤＶＤレコーダ４では、ステップＳ２３１において、デジタルフォトフレーム（ＤＰＦ）１から処理表示信号または録画内容の消去を要求する信号が受信されたか否かが制御部４１により判断される。そして、ステップＳ２３１において、処理表示信号または録画内容の消去を要求する信号が受信されていないと判断された場合には、この判断が繰り返される。また、ステップＳ２３１において、処理表示信号または録画内容の消去を要求する信号が受信されたと判断された場合には、ステップＳ２９に進む。
【００６８】
次に、ステップＳ２９において、デジタルフォトフレーム１から処理表示信号が受信されたか否かが判断され、処理表示信号が受信されたと判断された場合には、ステップＳ２４に進み、デジタルテレビジョン装置（ＴＶ）２に対して選択画面２１ａを表示させるための処理表示信号が送信される。また、ステップＳ２９において、処理表示信号が受信されていない（録画内容の消去を要求する信号が受信された）と判断された場合には、ステップＳ２８に進み、記録（録画）された内容が消去される。
【００６９】
また、デジタルテレビジョン装置（ＴＶ）２では、図９に示すように、ステップＳ３１１において、ＤＶＤレコーダ４から選択画面２１ａを表示させるための処理表示信号が受信されたか否かが制御部２２により判断される。そして、ステップＳ３１１において、処理表示信号が受信されていないと判断された場合には、この判断が繰り返される。そして、ステップＳ３１１において、処理表示信号が受信されたと判断された場合には、ステップＳ３２に進み、デジタルテレビジョン装置（ＴＶ）２の表示部２１に「戻って再生しますか？  Ｙｅｓ  Ｎｏ」という選択画面２１ａ（図６参照）が表示される。
【００７０】
また、ＤＶＤレコーダ４では、図８に示すように、ステップＳ２５において、ユーザがリモコン（図示せず）などを操作することにより表示部２１に表示された選択画面２１ａの「Ｙｅｓ」が選択されたか否かが制御部４１により判断される。そして、ステップＳ２５において、「Ｙｅｓ」が選択されたと判断された場合には、ステップＳ２６において、記録（録画）された映像が再生（戻って再生）される。また、ステップＳ２５において、「Ｙｅｓ」が選択されていない（「Ｎｏ」が選択された）と判断された場合には、ステップＳ２８において、記録（録画）された内容が消去される。
【００７１】
第２実施形態では、上記のように、制御部１９がデジタルテレビジョン装置２の表示部２１にテレビジョン放送が表示されている状態において、撮像部１４により撮像されたユーザの顔の画像に基づいてユーザがデジタルフォトフレーム１を見ていると判断した場合に、通信部１６を介してＤＶＤレコーダ４に対してユーザが視聴していたテレビジョン放送の映像を記録させるための制御信号を送信することによって、ユーザがデジタルフォトフレーム１を見ている場合には、ユーザが視聴していたテレビジョン放送の映像が記録される。これにより、デジタルテレビジョン装置２およびＤＶＤレコーダ４が動作している際に、ユーザが一時的にデジタルフォトフレーム１を見た場合に、ユーザがデジタルフォトフレーム１を見たことに応じてＤＶＤレコーダ４を適切に動作させることができるので、ユーザがデジタルフォトフレーム１を見ている間の映像を見逃してしまうのを抑制することができる。
【００７２】
また、第２実施形態では、上記のように、制御部１９が撮像部１４により撮像されたユーザの顔の画像に基づいてユーザがデジタルフォトフレーム１を見終わったと判断した場合に、通信部１６を介してＤＶＤレコーダ４に対してユーザがデジタルフォトフレーム１を見ていた間に記録されたテレビジョン放送の映像を再生させるか否かをユーザに選択させる画面をデジタルテレビジョン装置２の表示部２１に表示させるための制御信号を送信することによって、ユーザが選択画面２１ａにおいて再生を行うことを選択した場合には、ユーザがデジタルフォトフレーム１を見終わった際に、ユーザがデジタルフォトフレーム１を見ていた間の映像を再生することができるとともに、ユーザが選択画面２１ａにおいて再生を行わないことを選択した場合には、映像の再生を省略することができる。
【００７３】
また、第２実施形態では、上記のように、制御部１９が撮像部１４により撮像されたユーザの顔の画像に基づいてユーザがデジタルフォトフレーム１を見ていると判断した場合に、ネットワークを介してＤＶＤレコーダ４に対して制御信号を送信することによって、ユーザがデジタルフォトフレーム１を見ている際に、ＤＶＤレコーダ４に対してネットワークを介して容易に放送番組を記録させる制御信号を送信することができる。
【００７４】
なお、第２実施形態のその他の効果は、上記した第１実施形態と同様である。
【００７５】
（第３実施形態）
次に、図１０を参照して、第３実施形態について説明する。この第３実施形態では、ユーザがデジタルフォトフレームを見ていると判断した場合に、ＤＶＤプレーヤに対して再生中の映像を停止させる例について説明した上記第１実施形態とは異なり、ユーザがデジタルフォトフレームを見ていると判断した場合に、デジタルテレビジョン装置に対して音量を下げる制御信号を送信する例について説明する。
【００７６】
本発明の第３実施形態によるデジタルフォトフレームシステム１０２では、デジタルフォトフレーム１と、デジタルテレビジョン装置２とが接続されており、デジタルフォトフレームの通信部１６と、デジタルテレビジョン装置２の通信部２３とが相互に制御信号を通信可能に構成されている。なお、デジタルフォトフレームシステム１０２は、本発明の「電子フォトフレームシステム」の一例である。また、第３実施形態のその他の構成は、上記第１実施形態と同様である。
【００７７】
次に、図３および図１１を参照して、本発明の第３実施形態によるデジタルフォトフレームシステム１０２の制御処理フローについて説明する。
【００７８】
まず、デジタルテレビジョン装置２の表示部２１にテレビジョン放送が表示されている状態において、図１１に示すように、デジタルフォトフレーム１では、ステップＳ１１において、撮像部１４により撮像されたユーザの顔の画像に基づいてユーザがデジタルフォトフレーム１を見ているか否かが制御部１９により判断される（ユーザの顔および視線の認識が行われる）。
【００７９】
次に、ステップＳ１２において、ユーザがデジタルフォトフレーム１を約２０秒以上見続けているか否か（約２０秒経過したか否か）が判断される。ステップＳ１２において、ユーザがデジタルフォトフレーム１を約２０秒以上見続けていないと判断された場合には、ステップＳ１１に戻る。
【００８０】
また、ステップＳ１２において、ユーザがデジタルフォトフレーム１を約２０秒以上見続けていると判断された場合には、ステップＳ１３２に進む。そして、第３実施形態では、ステップＳ１３２において、制御信号テーブル１５ａ（図３参照）の制御内容（「ユーザがＤＰＦを見ている際の処理  音量調整  初期設定  下げる」という内容）に従って、デジタルテレビジョン装置２に対して音量を下げる制御信号が送信される。そして、ステップＳ１４に進む。
【００８１】
次に、デジタルテレビジョン装置２では、ステップＳ４１において、デジタルフォトフレーム（ＤＰＦ）１から音量を下げる制御信号を受信したか否かが制御部２２により判断される。そして、ステップＳ４１において、制御信号が受信されていないと判断された場合には、この判断が繰り返される。また、ステップＳ４１において、制御信号が受信されたと判断された場合には、ステップＳ４２に進み、音量が下げられる。そして、ステップＳ４３に進む。
【００８２】
また、デジタルフォトフレーム１では、ステップＳ１４において、ユーザの顔および視線の認識が行われる。そして、ステップＳ１５において、ユーザの顔および視線が認識されるか否か（ユーザがデジタルフォトフレーム１を見続けているか否か）が判断される。ステップＳ１５において、ユーザの顔および視線が認識される（ユーザがデジタルフォトフレーム１を見続けている）と判断された場合には、この判断が繰り返される。また、ステップＳ１５において、ユーザの顔および視線が認識されない（ユーザがデジタルフォトフレーム１を見終えた）と判断された場合には、ステップＳ１６１に進み、デジタルテレビジョン装置２に対して音量の大きさを元に戻す制御信号が送信される。
【００８３】
このとき、デジタルテレビジョン装置２では、ステップＳ４３において、デジタルフォトフレーム（ＤＰＦ）１から制御信号が受信されたか否かが判断される。そして、ステップＳ４３において、制御信号が受信されていないと判断された場合には、この判断が繰り返され、制御信号が受信されたと判断された場合には、ステップＳ４４に進み、音量が元に戻される。
【００８４】
第３実施形態では、上記のように、制御部１９がデジタルテレビジョン装置２の表示部２１にテレビジョン放送が表示されている状態において、撮像部１４により撮像されたユーザの顔の画像に基づいてユーザがデジタルフォトフレーム１を見ていると判断した場合に、通信部１６を介してデジタルテレビジョン装置２に対して音量を下げる制御信号を送信することによって、デジタルテレビジョン装置２から出力される音量が維持される場合と異なり、ユーザが集中してデジタルフォトフレーム１を閲覧することができる。これにより、デジタルテレビジョン装置２が動作している際に、ユーザが一時的にデジタルフォトフレーム１を見た場合に、映像および音声を出力する機能を有するデジタルテレビジョン装置２を適切に動作させることができる。
【００８５】
なお、第３実施形態のその他の効果は、上記した第１実施形態と同様である。
【００８６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８７】
たとえば、上記第１〜第３実施形態では、デジタルフォトフレーム、ＤＶＤプレーヤ（レコーダ）およびデジタルテレビジョン装置をＤＬＮＡ規格に準処した通信を相互に行うことが可能なように接続する例を示したが、本発明はこれに限られない。たとえば、デジタルフォトフレーム、ＤＶＤプレーヤ（レコーダ）およびデジタルテレビジョン装置間で相互に制御信号が送信可能に接続されていればよい。たとえば、デジタルフォトフレーム、ＤＶＤプレーヤ（レコーダ）およびデジタルテレビジョン装置をＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブルにより接続してもよい。
【００８８】
また、上記第１〜第３実施形態では、本発明の電子機器の一例としてＤＶＤプレーヤ、ＤＶＤレコーダおよびデジタルテレビジョン装置を示したが、本発明はこれに限られない。たとえば、電子機器間を相互に制御信号を送信可能であればＤＶＤプレーヤ、ＤＶＤレコーダおよびデジタルテレビジョン装置以外でもよい。
【００８９】
また、上記第１〜第３実施形態では、本発明の制御信号の種類の一例として、再生中の映像を停止させるための制御信号、ユーザが視聴していたテレビジョン放送の映像を記録させるための制御信号および音量を下げる制御信号を示したが、本発明はこれに限られない。たとえば、上記した制御信号以外の種類の制御信号を電子機器に対して送信してもよい。
【００９０】
また、上記第１〜第３実施形態では、ユーザがデジタルフォトフレームを約２０秒見ていると判断した場合に、電子機器に対して所定の動作を行わせる制御信号を送信する例を示したが、本発明はこれに限らない。本発明では、ユーザがデジタルフォトフレームを約２０秒以外の時間見ていると判断した場合に、電子機器に対して所定の動作を行わせる制御信号を送信してもよい。
【００９１】
また、上記第２実施形態では、ユーザがデジタルフォトフレームを見終わったと判断した場合に、記録されたテレビジョン放送の映像を再生させるか否かをユーザに選択させるための選択画面を表示させる例を示したが、本発明はこれに限らない。たとえば、ユーザがデジタルフォトフレームを見終わったと判断した場合に、再生（追っかけ再生（録画しながら再生））するか、再生せずに録画を続けるか、記憶された映像を削除するかなどの項目を表示部に表示させてもよい。
【００９２】
また、上記第２実施形態では、ユーザがデジタルフォトフレームを見終わったと判断した場合に、記録されたテレビジョン放送の映像を再生させるか否かをユーザに選択させるための選択画面を表示し、ユーザにより選択画面の「Ｙｅｓ」または「Ｎｏ」が選択される例を示したが、本発明はこれに限られない。たとえば、選択画面を表示した後に所定の時間ユーザにより選択操作が行われない場合には、記録された映像を削除せずにＤＶＤレコーダに保存してもよい。
【符号の説明】
【００９３】
１  デジタルフォトフレーム（電子フォトフレーム）
２  デジタルテレビジョン装置（テレビジョン装置）（電子機器）
３  ＤＶＤプレーヤ（映像再生装置）（電子機器）
４  ＤＶＤレコーダ（映像記録装置）（電子機器）
１４  撮像部
１５ａ  制御信号テーブル
１６  通信部
１００、１０１、１０２  デジタルフォトフレームシステム（電子フォトフレームシステム）
【図１】
2011254279.tif 000003
【図２】
2011254279.tif 000004
【図３】
2011254279.tif 000005
【図４】
2011254279.tif 000006
【図５】
2011254279.tif 000007
【図６】
2011254279.tif 000008
【図７】
2011254279.tif 000009
【図８】
2011254279.tif 000010
【図９】
2011254279.tif 000011
【図１０】
2011254279.tif 000012
【図１１】
2011254279.tif 000013